(57)【要約】【課題】大電流出力に好適であり低コスト化を図ることができるスイッチング電源装置を提供する。【解決手段】入力側巻線Ｌ１及び出力側巻線Ｌ２、Ｌ３を有するスイッチングトランスＴ１と、ファストリカバリダイオードＦＲＤ１、ＦＲＤ２とを備え、出力側巻線Ｌ２、Ｌ３の一端同士が共通接続され、出力側巻線Ｌ２、Ｌ３それぞれに発生する電圧ＶL2、ＶL3が、出力側巻線Ｌ２、Ｌ３の一端同士を基準として同一の極性であり、出力側巻線Ｌ２、Ｌ３の各他端とファストリカバリダイオードＦＲＤ１、ＦＲＤ２の各アノードとが一対一対応で接続され、ファストリカバリダイオードＦＲＤ１、ＦＲＤ２のカソード同士が共通接続されるスイッチング電源装置。【選択図】図１
2011015531.tif 000002
【特許請求の範囲】
【請求項１】
入力側巻線及び複数の出力側巻線を有するスイッチングトランスと、複数のダイオードとを備え、
前記複数の出力側巻線の一端同士が共通接続され、
前記複数の出力側巻線それぞれに発生する電圧が、前記複数の出力側巻線の一端同士を基準として同一の極性であり、
前記複数の出力側巻線の各他端と前記複数のダイオードの各アノードとが一対一対応で接続され、前記複数のダイオードのカソード同士が共通接続されることを特徴とするスイッチング電源装置。
【請求項２】
前記複数のダイオードがそれぞれリードタイプのファストリカバリダイオードであることを特徴とする請求項１に記載のスイッチング電源装置。
【請求項３】
前記複数の出力側巻線が互いに同じ巻き数であることを特徴とする請求項１又は請求項２に記載のスイッチング電源装置。
【請求項４】
請求項１〜３のいずれか１項に記載のスイッチング電源装置を備えることを特徴とする電気機器。
【請求項５】
液晶テレビであることを特徴とする請求項４に記載の電気機器。
【発明の詳細な説明】
【技術分野】
【０００１】
本発明は、スイッチング電源装置及びそれを備えた電気機器に関する。
【背景技術】
【０００２】
従来のスイッチング電源装置の一構成例を図６に示す。図６に示す従来のスイッチング電源装置は、整流器（図面では一例としてダイオードブリッジ回路を図示）ＲＥ１と、平滑コンデンサＣ１と、スイッチングトランスＴ１’と、スイッチング素子（図面では一例としてＮ型ＭＯＳトランジスタを図示）Ｑ１と、ショットキーバリアダイオードＳＢＤ１及びＳＢＤ２と、平滑コンデンサＣ２と、出力電圧検出回路１と、基準電圧源ＲＥＦ１と、スイッチング制御回路２とを備えている。
【０００３】
図６に示す従来のスイッチング電源装置に入力されるＡＣ電圧は、整流器ＲＥ１及び平滑コンデンサＣ１によって整流かつ平滑されてＤＣ電圧（＝平滑コンデンサの両端電圧）に変換される。そして、そのＤＣ電圧がスイッチングトランスＴ１’及びスイッチング素子Ｑ１によってパルス電圧（＝スイッチングトランスＴ１’の出力側巻線Ｌ２及びＬ３の両端電圧）に変換される。さらに、そのパルス電圧がショットキーバリアダイオードＳＢＤ１及びＳＢＤ２並びに平滑コンデンサＣ２によって整流かつ平滑されて電源電圧Ｖ１となる。
【０００４】
出力電圧検出回路１は、電源電圧Ｖ１と値が等しい検出電圧Ｖｓｅｎｓ１と、基準電圧源ＲＥＦ１から出力される基準電圧Ｖｒｅｆ１とを入力し、検出電圧Ｖｓｅｎｓ１またはその分圧と基準電圧Ｖｒｅｆ１とを比較し、その比較結果をスイッチング制御回路２にフィードバックする。スイッチング制御回路２は、出力電圧検出回路１からの比較結果に応じて、スイッチング素子Ｑ１のスイッチング周波数或いはデューティ比を制御して、電源電圧Ｖ１を所望の値に安定に制御する。
【０００５】
スイッチングトランスＴ１’は、入力側巻線Ｌ１と互いに同じ巻き数の出力側巻線Ｌ２及びＬ３とを有し、出力側巻線部での電力損失（いわゆる銅損）を低減するため、出力側巻線Ｌ２及びＬ３を並列接続して、各出力側巻線に流れる電流を小さくしている。
【０００６】
また、スイッチングトランスＴ１’の出力側に設置する整流ダイオードに許容電流を越える電流が流れることがないように、図６に示す従来のスイッチング電源装置では、スイッチングトランスＴ１’の出力側に設置する整流ダイオードとして、二つのショットキーバリアダイオードＳＢＤ１及びＳＢＤ２を用い、ショットキーバリアダイオードＳＢＤ１及びＳＢＤ２を同一方向に並列接続して、各ショットキーバリアダイオードに流れる電流を小さくしている。
【０００７】
市販のショットキーバリアダイオードは順方向電圧降下ＶＦが管理されており順方向電圧降下ＶＦのばらつきが小さいため、ショットキーバリアダイオードＳＢＤ１に流れる電流とショットキーバリアダイオードＳＢＤ２に流れる電流との差が小さい。したがって、各ショットキーバリアダイオードに流れる電流を問題なく小さくすることができる。
【０００８】
続いて、従来のスイッチング電源装置の他の構成例を図７に示す。なお、図７において図６と同一の部分には同一の符号を付し詳細な説明を省略する。
【０００９】
図７に示す従来のスイッチング電源装置は、図６に示す従来のスイッチング電源装置からショットキーバリアダイオードＳＢＤ１及びＳＢＤ２を取り除き、その代わりにパッケージ化されたダイオード回路Ｐ１を設け、パッケージ化されたダイオード回路Ｐ１中の２つのダイオードが同一方向に並列接続されるように結線した構成である。
【００１０】
パッケージ化されたダイオード回路Ｐ１中のダイオードの順方向電圧降下ＶＦは管理されておりばらつきが小さいため、パッケージ化されたダイオード回路Ｐ１中の一方のダイオードに流れる電流とパッケージ化されたダイオード回路Ｐ１中の他方のダイオードに流れる電流との差が小さい。したがって、パッケージ化されたダイオード回路Ｐ１中の各ダイオードに流れる電流を問題なく小さくすることができる。
【先行技術文献】
【特許文献】
【００１１】
【特許文献１】特開２００４−１７３４６３号公報（第１図）
【特許文献２】特開平９−１１７１３８号公報（第１図）
【特許文献３】特許第３５８２７２１号公報（第１図）
【特許文献４】特開２００６−９４５８３号公報（第１図）
【特許文献５】特開２００３−１６４１５５号公報（第１図）
【発明の概要】
【発明が解決しようとする課題】
【００１２】
上述した図６及び図７に示す従来のスイッチング電源装置は、スイッチングトランスＴ１’の出力側に設置する整流ダイオードに許容電流を越える電流が流れることがないように、スイッチングトランスＴ１’の出力側に設置する整流ダイオードとして、同一方向で並列接続される複数のダイオードを用いているので、大電流出力に好適である。
【００１３】
しかしながら、図６に示す従来のスイッチング電源装置は、スイッチングトランスＴ１’の出力側に設置する整流ダイオードとして、高価なショットキーバリアダイオードを用いているので、コスト面で問題があり、図７に示す従来のスイッチング電源装置は、パッケージ化されたダイオード回路Ｐ１に放熱板を設ける必要があるため、同様にコスト面で問題があった。
【００１４】
なお、特許文献１〜５で開示されている回路はいずれも、スイッチングトランスの出力側巻線部での電力損失（いわゆる銅損）を低減するために複数の出力側巻線を備える構成ではない。すなわち、特許文献１〜５で開示されている回路はいずれも、上述した従来のスイッチング電源装置のようにスイッチングトランスにおいて複数の出力側巻線を並列接続する回路構成ではなく、後述する本発明に係るスイッチング電源装置のようにスイッチングトランスにおいて複数の出力側巻線の一端同士が共通接続され、前記複数の出力側巻線それぞれに発生する電圧が、前記複数の出力側巻線の一端同士を基準として同一の極性である回路構成でもない。
【００１５】
本発明は、上記の状況に鑑み、大電流出力に好適であり低コスト化を図ることができるスイッチング電源装置及びそれを備えた電気機器を提供することを目的とする。
【課題を解決するための手段】
【００１６】
上記目的を達成するために本発明に係るスイッチング電源装置は、入力側巻線及び複数の出力側巻線を有するスイッチングトランスと、複数のダイオードとを備え、前記複数の出力側巻線の一端同士が共通接続され、前記複数の出力側巻線それぞれに発生する電圧が、前記複数の出力側巻線の一端同士を基準として同一の極性であり、前記複数の出力側巻線の各他端と前記複数のダイオードの各アノードとが一対一対応で接続され、前記複数のダイオードのカソード同士が共通接続される構成である。
【００１７】
このような構成によると、スイッチングトランスの出力側巻線に流れる電流を複数の出力側巻線で分担し、各出力側巻線に流れる電流を小さくできるので、出力側巻線部での電力損失（いわゆる銅損）を低減することができる。また、このような構成によると、スイッチングトランスの出力側に設置する整流ダイオードに流れる電流を複数のダイオードで分担し、各ダイオードに流れる電流を小さくすることができるので、スイッチングトランスの出力側に設置する整流ダイオードに許容電流を越える電流が流れることを防止することができる。したがって、大電流出力に好適である。
【００１８】
さらに、このような構成によると、出力側巻線及びダイオードからなる各直列回路が互いに並列接続されているために、各直列回路の両端電圧が互いに一致する必要があるが、各直列回路の両端電圧は、出力側巻線の巻線抵抗での電圧降下及びダイオードでの電圧降下で調整できるため、ダイオードの順方向電圧降下ＶＦのばらつきが大きくても、各ダイオードに流れる電流の差を小さくすることができ、各ダイオードに流れる電流を問題なく小さくすることができる。これにより、順方向電圧降下ＶＦのばらつきが大きい安価なダイオードを用いることができ、低コスト化を図ることができる。
【００１９】
また、前記複数のダイオードをそれぞれリードタイプのファストリカバリダイオードとしてもよい。
【００２０】
また、前記複数の出力側巻線を互いに同じ巻き数にすることが望ましい。ただし、正常動作が可能な範囲で、前記複数の出力側巻線の巻き数が若干異なっていても構わない。
【００２１】
また、上記目的を達成するために本発明に係る電気機器（例えば液晶テレビ）は、上記いずれかの構成のスイッチング電源装置を備えるようにする。
【発明の効果】
【００２２】
本発明に係るスイッチング電源装置及びそれを備えた電気機器によると、スイッチングトランスの出力側巻線に流れる電流を複数の出力側巻線で分担し、各出力側巻線に流れる電流を小さくできるので、出力側巻線部での電力損失（いわゆる銅損）を低減することができる。また、スイッチングトランスの出力側に設置する整流ダイオードに流れる電流を複数のダイオードで分担し、各ダイオードに流れる電流を小さくすることができるので、スイッチングトランスの出力側に設置する整流ダイオードに許容電流を越える電流が流れることを防止することができる。したがって、大電流出力に好適である。さらに、出力側巻線及びダイオードからなる各直列回路が互いに並列接続されているために、各直列回路の両端電圧が互いに一致する必要があるが、各直列回路の両端電圧は、出力側巻線の巻線抵抗での電圧降下及びダイオードでの電圧降下で調整できるため、ダイオードの順方向電圧降下ＶＦのばらつきが大きくても、各ダイオードに流れる電流の差を小さくすることができ、各ダイオードに流れる電流を問題なく小さくすることができる。これにより、順方向電圧降下ＶＦのばらつきが大きい安価なダイオードを用いることができ、低コスト化を図ることができる。
【図面の簡単な説明】
【００２３】
【図１】本発明に係るスイッチング電源装置の一構成例を示す図である。
【図２】図６に示すスイッチング電源装置のショットキーバリアダイオードをリードタイプのファストリカバリダイオードに置換した構成を示す図である。
【図３】図２に示すスイッチング電源装置の電流波形を示す図である。
【図４】図１に示すスイッチング電源装置の電流波形を示す図である。
【図５】本発明に係る液晶テレビの概略構成例を示す図である。
【図６】従来のスイッチング電源装置の一構成例を示す図である。
【図７】従来のスイッチング電源装置の他の構成例を示す図である。
【図８】主電源回路の構成を示す図である。
【図９】主電源回路の変形例を示す図である。
【発明を実施するための形態】
【００２４】
本発明の実施形態について図面を参照して以下に説明する。本発明に係る電源装置の一構成例を図１に示す。なお、図１において図６と同一の部分には同一の符号を付し、詳細な説明を省略する。
【００２５】
図１に示す本発明に係るスイッチング電源装置は、図６に示す従来のスイッチング電源装置からスイッチングトランスＴ１’を取り除き、その代わりにスイッチングトランスＴ１を設け、ショットキーバリアダイオードＳＢＤ１及びＳＢＤ２を取り除き、その代わりにリードタイプのファストリカバリダイオードＦＲＤ１及びＦＲＤ２を設けた構成である。
【００２６】
スイッチングトランスＴ１は、入力側巻線Ｌ１と互いに同じ巻き数の出力側巻線Ｌ２及びＬ３とを有し、出力側巻線Ｌ２及びＬ３の一端同士が共通接続されてグランド電位に接続され、出力側巻線Ｌ２及びＬ３それぞれに発生する電圧ＶL2、ＶL3が、出力側巻線Ｌ２及びＬ３の一端同士すなわちグランド電位を基準として同一の極性である。また、出力側巻線Ｌ２の他端がファストリカバリダイオードＦＲＤ１のアノードに接続され、出力側巻線Ｌ３の他端がファストリカバリダイオードＦＲＤ２のアノードに接続され、ファストリカバリダイオードＦＲＤ１のカソードとファストリカバリダイオードＦＲＤ２のカソードが共通接続される。
【００２７】
このような構成によると、スイッチングトランスの出力側巻線に流れる電流を二つの出力側巻線Ｌ２及びＬ３で分担し、各出力側巻線に流れる電流を小さくできるので、出力側巻線部での電力損失（いわゆる銅損）を低減することができる。また、このような構成によると、スイッチングトランスの出力側に設置する整流ダイオードに流れる電流を二つのファストリカバリダイオードＦＲＤ１及びＦＲＤ２で分担し、各ファストリカバリダイオードに流れる電流を小さくすることができるので、スイッチングトランスの出力側に設置する整流ダイオードに許容電流を越える電流が流れることを防止することができる。
【００２８】
リードタイプのファストリカバリダイオードＦＲＤ１及びＦＲＤ２は、ショットキーバリアダイオードに比べて安価であり、また、パッケージ化されていないため、放熱板も不要である。したがって、スイッチングトランスの出力側に設置する整流ダイオードとして、リードタイプのファストリカバリダイオードＦＲＤ１及びＦＲＤ２を用いている図１に示す本発明に係るスイッチング電源装置は、低コスト化を図ることができる。
【００２９】
しかしながら、市販のリードタイプのファストリカバリダイオードＦＲＤ１及びＦＲＤ２は、市販のショットキーバリアダイオードとは異なり、順方向電圧降下ＶＦが管理されておらず順方向電圧降下ＶＦのばらつきが大きい。
【００３０】
単に図６に示す従来のスイッチング電源装置のショットキーバリアダイオードＳＢＤ１及びＳＢＤ２をリードタイプのファストリカバリダイオードＦＲＤ１及びＦＲＤ２に置換した図２に示す構成では、ファストリカバリダイオードＦＲＤ１とファストリカバリダイオードＦＲＤ２が並列接続されているために、ファストリカバリダイオードＦＲＤ１の両端電圧とファストリカバリダイオードＦＲＤ２の両端電圧が一致する必要がある。ファストリカバリダイオードＦＲＤ１の両端電圧とファストリカバリダイオードＦＲＤ２の両端電圧は、ファストリカバリダイオードＦＲＤ１での電圧降下とファストリカバリダイオードＦＲＤ２での電圧降下でしか調整できないため、ファストリカバリダイオードＦＲＤ１及びＦＲＤ２の順方向電圧降下ＶＦのばらつきが大きいと、図３に示すようにファストリカバリダイオードＦＲＤ１に流れる電流ＩFRD1とファストリカバリダイオードＦＲＤ２に流れる電流ＩFRD2の差が大きくなり、最悪の場合、ファストリカバリダイオードＦＲＤ１の両端電圧とファストリカバリダイオードＦＲＤ２の両端電圧を一致させることができず、正常動作が不可能となる。なお、図３では、ファストリカバリダイオードＦＲＤ１の順方向電圧降下ＶＦがファストリカバリダイオードＦＲＤ２の順方向電圧降下ＶＦよりも大きい場合を示している。
【００３１】
これに対して、図１に示す本発明に係るスイッチング電源装置では、出力側巻線Ｌ２及びファストリカバリダイオードＦＲＤ１からなる第１の直列回路と出力側巻線Ｌ３及びファストリカバリダイオードＦＲＤ２からなる第２の直列回路とが並列接続されているために、第１の直列回路の両端電圧と第２の直列回路の両端電圧が一致する必要がある。第１の直列回路の両端電圧と第２の直列回路の両端電圧は、出力側巻線Ｌ２の巻線抵抗での電圧降下及びファストリカバリダイオードＦＲＤ１での電圧降下と出力側巻線Ｌ３の巻線抵抗での電圧降下及びファストリカバリダイオードＦＲＤ２での電圧降下で調整できるため、ファストリカバリダイオードＦＲＤ１及びＦＲＤ２の順方向電圧降下ＶＦのばらつきが大きくても、図４に示すようにファストリカバリダイオードＦＲＤ１に流れる電流ＩFRD1とファストリカバリダイオードＦＲＤ２に流れる電流ＩFRD2の差を小さくすることができる。なお、図４では、図３のときと同じだけ、ファストリカバリダイオードＦＲＤ１の順方向電圧降下ＶＦがファストリカバリダイオードＦＲＤ２の順方向電圧降下ＶＦよりも大きい場合を示している。したがって、図１に示す本発明に係るスイッチング電源装置では、各ファストリカバリダイオードに流れる電流を問題なく小さくすることができる。
【００３２】
なお、本発明に係る電源装置は、上述した実施形態に限定されることはなく、発明の主旨を逸脱しない範囲で種々の変更を加えることができる。例えば、上述した実施形態では、請求項の「複数の出力側巻線」に対応する出力側巻線が二つであり、請求項の「複数のダイオード」に対応するダイオードが二つであるが、それぞれ三つ以上であっても構わない。
【００３３】
次に、本発明に係る電気機器について説明する。ここでは、本発明に係る電気機器として液晶テレビを例に挙げて説明を行う。本発明に係る液晶テレビの概略構成例を図５に示す。なお、図５において図１と同一の部分には同一の符号を付し詳細な説明を省略する。
【００３４】
図５に示す本発明に係る液晶テレビは、整流器ＲＥ１と、平滑コンデンサＣ１と、スイッチ３と、主電源回路４と、ＤＣ−ＤＣコンバータ５及び７と、シリーズレギュレータ６と、負荷８と、待機電源回路９と、マイコン１０と、リモコン受光部１１と、操作キー１２とを備えている。
【００３５】
主電源回路４は、上述した図１に示す本発明に係るスイッチング電源装置から整流器ＲＥ１及び平滑コンデンサＣ１を取り除き、スイッチングトランスＴ１の代わりにスイッチングトランスＴ２を設け、さらにリードタイプのファストリカバリダイオードＦＲＤ３と平滑コンデンサＣ３を新たに設けた構成である。主電源回路４は、平滑コンデンサＣ１の両端電圧であるＤＣ電圧を入力する。なお、図５に示す構成では省略されているが、主電源回路４においては、通常、図８に示すようにスイッチング制御回路１と出力電圧検出回路２との間にフォトカプラ等の絶縁素子１３を設け、ＨＯＴ側とＣＯＬＤ側とを絶縁してＣＯＬＤ側での安全を確保する。また、主電源回路４の変形例としては、図９に示すように、請求項の「複数の出力側巻線」に相当する出力側巻線Ｌ２及びＬ３をＨＯＴ側に配置することも可能である。
【００３６】
スイッチングトランスＴ２は、スイッチングトランスＴ１に出力側巻線Ｌ４を追加した構成である。なお、出力側巻線Ｌ４は請求項の「複数の出力側巻線」に含まれない。出力側巻線Ｌ４の一端はグランド電位に接続され、出力側巻線Ｌ４の他端はリードタイプのファストリカバリダイオードＦＲＤ３のアノードに接続され、リードタイプのファストリカバリダイオードＦＲＤ３のカソードは平滑コンデンサＣ３の正極性側に接続され、平滑コンデンサＣ３の負極性側にグランド電位に接続される。
【００３７】
主電源回路４は、電源電圧Ｖ１を負荷８とＤＣ−ＤＣコンバータ５に供給する。ＤＣ−ＤＣコンバータ５は電源電圧Ｖ１を電源電圧Ｖ２に変換し、その電源電圧Ｖ２を負荷８とシリーズレギュレータ６に供給する。シリーズレギュレータ６は電源電圧Ｖ２を電源電圧Ｖ３に変換し、その電源電圧Ｖ３を負荷８に供給する。
【００３８】
また、主電源回路４は、出力側巻線に誘起されたパルス電圧をリードタイプのファストリカバリダイオードＦＲＤ３及び平滑コンデンサＣ３によって整流かつ平滑したのち、ＤＣ−ＤＣコンバータ７に供給する。ＤＣ−ＤＣコンバータ７は、主電源回路４の平滑コンデンサＣ３から供給されるＤＣ電圧を電源電圧Ｖ４に変換し、その電源電圧Ｖ４を負荷８に供給する。このようにして負荷８に供給される電源電圧Ｖ１〜Ｖ４は互いに値の異なるＤＣ電圧である。
【００３９】
負荷８は、チューナ部８Ａと、映像回路８Ｂと、音声回路８Ｃと、液晶表示部８Ｄと、スピーカ８Ｅとを含んでいる。チューナ部８Ａは、アンテナ（不図示）から受け取ったテレビ放送信号の選局及び復調を行う。映像回路８Ｂは、チューナ部８Ａから受け取った映像信号に各種処理（例えば輝度補正やガンマ補正など）を施し、その各種処理を施した映像信号を液晶表示部８Ｄに出力する。液晶表示部８Ｄは映像回路８Ｂの出力信号に基づく表示を行う。音声回路８Ｃは、チューナ部８Ａから受け取った音声信号に各種処理（例えば音量調整など）を施し、その各種処理を施した音声信号をスピーカ８Ｅに出力する。スピーカ８Ｅは音声回路８Ｃの出力信号に基づく音声を発する。
【００４０】
待機電源回路２３も主電源回路４と同様に平滑コンデンサＣ１の両端電圧であるＤＣ電圧を入力する。待機電源回路２３は平滑コンデンサＣ１の両端電圧であるＤＣ電圧を所定値のＤＣ電圧に変換し、その所定値のＤＣ電圧をマイコン１０の電源電圧としてマイコン１０に供給する。また、リモコン受光部１１及び操作キー１２は、マイコン１０から供給されるＤＣ電圧を電源電圧としている。
【００４１】
リモコン受光部１１はリモコン送信機（不図示）からの赤外線信号に応じた指示信号をマイコン１０に出力する。操作キー１２はユーザのキー操作に応じた指示信号をマイコン１０に出力する。マイコン１０は、リモコン受光部１１又は操作キー１２からの指示信号に基づき、負荷８の動作（例えばチューナ部８Ａによる選局動作や音声回路８Ｃによる音量調整動作など）を制御する。また、マイコン１０は、リモコン受光部１１又は操作キー１２からの指示信号に基づいてスイッチ３をＯＮ／ＯＦＦ制御する。
【００４２】
マイコン１０は、リモコン受光部１１又は操作キー１２からの指示信号に基づき、液晶テレビを待機状態にする場合、スイッチ３がＯＦＦになるように制御する。これにより、主電源回路４、ＤＣ−ＤＣコンバータ５、シリーズレギュレータ７、ＤＣ−ＤＣコンバータ７、及び負荷８に電力が供給されなくなり、主電源回路４、ＤＣ−ＤＣコンバータ５、シリーズレギュレータ７、ＤＣ−ＤＣコンバータ７、及び負荷８での電力消費を削減することができるので、待機電力を低減することができる。
【００４３】
一方、マイコン１０は、リモコン受光部１１又は操作キー１２からの指示信号に基づき、液晶テレビを非待機状態にする場合、スイッチ３がＯＮになるように制御する。これにより、負荷８に電力が供給され、液晶テレビの非待機状態が実現される。
【符号の説明】
【００４４】
１  出力電圧検出回路
２  スイッチング制御回路
３  スイッチ
４  主電源回路
５、７  ＤＣ−ＤＣコンバータ
６  シリーズレギュレータ
８  負荷
８Ａ  チューナ部
８Ｂ  映像回路
８Ｃ  音声回路
８Ｄ  液晶表示部
８Ｅ  スピーカ
９  待機電源回路
１０  マイコン
１１  リモコン受光部
１２  操作キー
１３  絶縁素子
Ｃ１〜Ｃ３  平滑コンデンサ
ＦＲＤ１〜ＦＲＤ３  ファストリカバリダイオード
Ｌ１  入力側巻線
Ｌ２〜Ｌ４  出力側巻線
Ｐ１  パッケージ化されたダイオード回路
Ｑ１  スイッチングトランジスタ
ＲＥＦ１  基準電圧源
ＲＥ１  整流器
ＳＢＤ１、ＳＢＤ２  ショットキーバリアダイオード
Ｔ１、Ｔ１’、Ｔ２  スイッチングトランス
【図１】
2011015531.tif 000003
【図２】
2011015531.tif 000004
【図３】
2011015531.tif 000005
【図４】
2011015531.tif 000006
【図５】
2011015531.tif 000007
【図６】
2011015531.tif 000008
【図７】
2011015531.tif 000009
【図８】
2011015531.tif 000010
【図９】
2011015531.tif 000011